(57)【要約】【課題】プレート枠内の他の配線器具へのプラグの干渉を防止したコンセントを提供する。【解決手段】連用形の配線器具用のプレート枠Ｃ１の開口にスイッチＢ１をコンセントＡ１の上方に並設して取り付け、コンセントＡ１のカバー１２に設けた３つの栓刃差し込み口１４は、充電用の２つの栓刃差し込み口１４，１４、及び接地用の栓刃差し込み口１４の３個１組で成って、カバー１２の下方に偏倚して配置されており、充電用の２つの栓刃差し込み口１４，１４を逆ハの字形にカバー１２の下方に配置し、この両者間の中央線上且つカバー１２の略中央に接地用の栓刃差し込み口１４を配置する。【選択図】        図１
2004220815.tif 000002
【特許請求の範囲】
【請求項１】
連用形配線器具の取付枠に他の配線器具を一端側に並設して取り付けられたハウジングと、このハウジング表面の他端側に偏倚して形成されて、２本の充電ピン及び１本の接地ピンを有する３極のプラグが挿入される３個１組の栓刃差し込み口と、各栓刃差し込み口の奥側に各々位置する刃受ばねと、各刃受ばねが各々接続された端子板とを備えることを特徴とするコンセント。
【請求項２】
連用形配線器具の取付枠に取り付けられたハウジングと、このハウジング表面の一端側に偏倚して形成されて、２本の充電ピン及び１本の接地ピンを有する３極のプラグが挿入される３個１組の栓刃差し込み口と、各栓刃差し込み口の奥側に各々位置する刃受ばねと、各刃受ばねが各々接続された端子板と、前記ハウジング裏面の他端側に配置され、前記各端子板に接続して外部からの電源を各々受ける端子とを備えることを特徴とするコンセント。
【請求項３】
前記プレート枠は、配線器具の表面を略全て露出させるような寸法に形成された開口部を有することを特徴とする請求項１または２記載のコンセント。
【請求項４】
前記３極のプラグの接地ピンは充電ピンより長く、前記３個１組の栓刃差し込み口のうち、接地ピンが挿入される栓刃差し込み口は前記ハウジング表面の略中央に配置されることを特徴とする請求項１乃至３いずれか記載のコンセント。
【請求項５】
前記各端子板に接続して外部からの電源を各々受ける端子を、前記ハウジング裏面の一端側に配置したことを特徴とする請求項１記載のコンセント。
【請求項６】
前記ハウジング裏面の端子と対向する端側に刻印による表示を施したことを特徴とする請求項２乃至５いずれか記載のコンセント。
【請求項７】
前記ハウジング裏面の各端子間に凹部を設けたことを特徴とする請求項２乃至６いずれか記載のコンセント。
【請求項８】
充電ピンに接続される２個の端子の近傍に極性を示す刻印を凸形状で各々施したことを特徴とする請求項２乃至７いずれか記載のコンセント。
【請求項９】
前記３極のプラグの接地ピンが接続される前記刃受ばねと端子板とは一体形成され、前記刃受ばねと端子板とのうちいずれか一方が他方の構成の一部を兼ねることを特徴とする請求項１乃至８いずれか記載のコンセント。
【請求項１０】
前記３極のプラグの充電ピン及び接地ピンが各々接続される前記刃受ばねと端子板とは一体形成され、前記刃受ばねと端子板との各一体形成品の前記ハウジング内での配置方向は、互いに同一方向とすることを特徴とする請求項１乃至９いずれか記載のコンセント。
【発明の詳細な説明】
【０００１】
【発明の属する技術分野】
本発明は、コンセント、２極の充電極と１極の接地極との３極を備えるコンセントに関するものである。
【０００２】
【従来の技術】
図２８（ａ），（ｂ），（ｃ）は、従来のコンセントＡ３とスイッチＢ１とを連用形（例えばＪＩＳ  Ｃ８３０４）の配線器具用のプレート枠Ｃ１の開口に取付けて、表面周部を化粧プレートＤ１で被覆した構成を示しており、プレート枠Ｃ１を壁等の構造体に設けた開口に取り付けて施工される。ここでスイッチＢ１はコンセントＡ３への電源供給をオン・オフするものであり、スイッチＢ１はコンセントＡ３の上方に並設して取り付けられている。
【０００３】
以下本発明のコンセントＡ３を図２９〜図３１に基づいて説明すると、このコンセントＡ３は、ボディ１１とカバー１２とからなるハウジング１を備え、図中１０はハウジング１のボディ１１とカバー１２とを結合するための組立枠であり、コ字形に形成されるとともに係合用突起１５を備えたこの組立枠１０は、カバー１２に被せられるとともに両端がかしめられてボディ１１の外壁に係止されることで、ボディ１１とカバー１２との結合を行う。また、係合用突起１５をプレート枠Ｃ１に係合させることでコンセントＡ３をプレート枠Ｃ１に取り付けている。なお、ここに示したハウジング１は、配線器具における２個モジュール寸法に形成されている。
【０００４】
カバー１２はその表面に３個の栓刃差し込み口１４を有しており、栓刃差し込み口１４は、充電用の２つの栓刃差し込み口１４，１４、及び接地用の栓刃差し込み口１４の３個１組で成って、カバー１２の上方に偏倚して配置されており、充電用の２つの栓刃差し込み口１４，１４が逆ハの字形にカバー１２の略中央に配置され、この両者間の中央線上且つカバー１２の上方に接地用の栓刃差し込み口１４が配置されている。（例えば、特許文献１参照。）
【０００５】
【特許文献１】
特開平７−１０６０３０号公報（２頁右欄第２８行〜第３１行、図１，図２）
【０００６】
【発明が解決しようとする課題】
上述の従来のコンセントＡ３の栓刃差し込み口１４には、図１８に示す１６Ａ，３極のプラグＰが挿入されるもので、プラグＰは２本の充電ピン６０ａと、１本の接地ピン６０ｂを備えており、充電ピン６０ａは充電用の栓刃差し込み口１４に各々挿入され、接地ピン６０ｂは接地用の栓刃差し込み口１４に挿入される。
【０００７】
図３２（ａ），（ｂ）はプラグＰをコンセントＡ３に挿入した状態を示しており、３つの栓刃差し込み口１４がカバー１２の上方に偏倚して配置されているので、プラグＰとスイッチＢ１との間隔がなく（図３３（ａ），（ｂ）に示すようにプラグの外郭Ｐ’とスイッチＢ１とが重なっている）、プラグＰがスイッチＢ１の操作部５０に干渉して、スイッチＢ１の誤動作が発生しやすい。（例えば１６Ａ、３極のコンセントをエアコン用としてスイッチと組み合わせて使用したときに、シーズンオフ時にはブレーカではなくスイッチによって電源回路を切断する場合がある。）
また、スイッチＢ１の代わりにコンセントや、電話用モデム等の配線器具を取り付けた場合でもプラグＰが配線器具に干渉することで、使い難いものとなる。
【０００８】
さらに図３５（ａ），（ｂ）は、別のコンセントＡ４（図３４（ａ），（ｂ），（ｃ）参照）とスイッチＢ２とを連用形の配線器具用の枠Ｄ２の開口に取付けた構成を示し、係合用突起１５を枠Ｄ２に係合させることでコンセントＡ４を枠Ｄ２に取り付けている。枠Ｄ２は配線器具の表面を略全て露出させるような寸法に形成された開口部を有しており、コンセントＡ４、スイッチＢ２は上述のコンセントＡ３、スイッチＢ１に比べて幅広の構成となる。この場合も図３５（ａ），（ｂ）に示すように、３つの栓刃差し込み口１４がカバー１２の上方に偏倚して配置されているので、上記同様の問題が生じる。
【０００９】
本発明は、上記事由に鑑みてなされたものであり、その目的は、プレート枠内の他の配線器具へのプラグの干渉を防止したコンセントを提供することにある。
【００１０】
【課題を解決するための手段】
請求項１の発明は、連用形配線器具の取付枠に他の配線器具を一端側に並設して取り付けられたハウジングと、このハウジング表面の他端側に偏倚して形成されて、２本の充電ピン及び１本の接地ピンを有する３極のプラグが挿入される３個１組の栓刃差し込み口と、各栓刃差し込み口の奥側に各々位置する刃受ばねと、各刃受ばねが各々接続された端子板とを備えることを特徴とする。
【００１１】
請求項２の発明は、連用形配線器具の取付枠に取り付けられたハウジングと、このハウジング表面の一端側に偏倚して形成されて、２本の充電ピン及び１本の接地ピンを有する３極のプラグが挿入される３個１組の栓刃差し込み口と、各栓刃差し込み口の奥側に各々位置する刃受ばねと、各刃受ばねが各々接続された端子板と、前記ハウジング裏面の他端側に配置され、前記各端子板に接続して外部からの電源を各々受ける端子とを備えることを特徴とする。
【００１２】
請求項３の発明は、請求項１または２において、前記プレート枠は、配線器具の表面を略全て露出させるような寸法に形成された開口部を有することを特徴とする。
【００１３】
請求項４の発明は、請求項１乃至３いずれかにおいて、前記３極のプラグの接地ピンは充電ピンより長く、前記３個１組の栓刃差し込み口のうち、接地ピンが挿入される栓刃差し込み口は前記ハウジング表面の略中央に配置されることを特徴とする。
【００１４】
請求項５の発明は、請求項１において、前記各端子板に接続して外部からの電源を受ける各端子を、前記ハウジング裏面の他端側に配置したことを特徴とする。
【００１５】
請求項６の発明は、請求項２乃至５いずれかにおいて、前記ハウジング裏面の端子と対向する端側に刻印による表示を施したことを特徴とする。
【００１６】
請求項７の発明は、請求項２乃至６いずれかにおいて、前記ハウジング裏面の各端子間に凹部を設けたことを特徴とする。
【００１７】
請求項８の発明は、請求項２乃至７いずれかにおいて、充電ピンに接続される２個の端子の近傍に極性を示す刻印を凸形状で各々施したことを特徴とする。
【００１８】
請求項９の発明は、請求項１乃至８いずれかにおいて、前記３極のプラグの接地ピンが接続される前記刃受ばねと端子板とは一体形成され、前記刃受ばねと端子板とのうちいずれか一方が他方の構成の一部を兼ねることを特徴とする。
【００１９】
請求項１０の発明は、請求項１乃至９いずれかにおいて、前記３極のプラグの充電ピン及び接地ピンが各々接続される前記刃受ばねと端子板とは一体形成され、前記刃受ばねと端子板との各一体形成品の前記ハウジング内での配置方向は、互いに同一方向とすることを特徴とする。
【００２０】
【発明の実施の形態】
以下、本発明の実施の形態を図面に基づいて説明する。
【００２１】
図１〜図３は、本発明のコンセントＡ１とスイッチＢ１とを連用形（例えばＪＩＳ  Ｃ８３０４）の配線器具用のプレート枠Ｃ１の開口に取付けて、表面周部を化粧プレートＤ１で被覆した構成を示しており、プレート枠Ｃ１を壁等の構造体に設けた開口に取り付けて施工される。ここでスイッチＢ１はコンセントＡ１への電源供給をオン・オフするものであり、スイッチＢ１はコンセントＡ１の上方に並設して取り付けられている。
【００２２】
以下本発明のコンセントＡ１を図４〜図８に基づいて詳述すると、このコンセントＡ１は、ボディ１１とカバー１２とからなるハウジング１と、２個の充電側刃受け・端子一体部品２ａと、１個の接地側刃受け・端子一体部品２ｂと、刃受け・端子一体部品２ａ，２ｂとの間で速結端子を構成する鎖錠ばね４、そして充電側の速結端子からの電線の取り外し時に用いられる解除釦５ａと、接地側の速結端子からの電線の取り外し時に用いられる解除釦５ｂとからなる。図中１０はハウジング１のボディ１１とカバー１２とを結合するための組立枠であり、コ字形に形成されるとともに係合用突起１５を備えたこの組立枠１０は、カバー１２に被せられるとともに両端がかしめられてボディ１１の外壁に係止されることで、ボディ１１とカバー１２との結合を行う。また、係合用突起１５をプレート枠Ｃ１に係合させることでコンセントＡ１をプレート枠Ｃ１に取り付けている。
【００２３】
カバー１２はその表面に３個の栓刃差し込み口１４を有しており、カバー１２の背面側に接合されるボディ１１は、その内部が区画リブ１６，１６によって区画されている。なお、ここに示したハウジング１は、連用形の配線器具における２モジュール分のサイズに形成されている。また、３つの栓刃差し込み口１４は、充電用の２つの栓刃差し込み口１４，１４、及び接地用の栓刃差し込み口１４の３個１組で成って、カバー１２の下方に偏倚して配置されており、充電用の２つの栓刃差し込み口１４，１４が逆ハの字形にカバー１２の下方に配置され、この両者間の中央線上且つカバー１２の略中央に接地用の栓刃差し込み口１４が配置されている。
【００２４】
充電側刃受け・端子一体部品２ａは充電側の刃受ばね２０ａと端子板３０ａとを接続片３１を介して一体形成して成り、接地側刃受け・端子一体部品２ｂは接地側の刃受ばね２０ｂと端子板３０ｂとを一体形成されて成っており、刃受けばね２０ａ，２０ｂは各栓刃差し込み口１４の奥に位置することになる。
【００２５】
そして、充電側刃受け・端子一体部品２ａは、各々２個の鎖錠ばね４，４と１個の解除釦５ａとともに、接地側刃受け・端子一体部品２ｂは、２個の鎖錠ばね４，４と１個の解除釦５ｂとともに、上記ボディ１１の各室に納められる。この時、充電側刃受け・端子一体部品２ａ，２ａ及び接地側刃受け・端子一体部品２ｂは、図７から明らかなように、端子板３０ａ，３０ｂが上方、刃受ばね２０ａ，２０ｂが下方を向くように配設される。従来のコンセントのように充電側刃受けばね２０ａ・端子板３０ａの配設方向と、接地側刃受けばね２０ｂ・端子板３０ｂの配設方向とが異なる場合（図３１参照）、組立時、部品を組み込む際に配設方向を間違い易いが、本実施形態では配設方向が互いに同方向であるため、組立時、部品を組み込む際に刃受け・端子一体部品２ａ，２ｂの各配設方向を間違い難くなる。
【００２６】
なお、ここで示した鎖錠ばね４は、端子板３０ａ，３０ｂの側壁に電線を押し付けることで電線と端子板３０ａ，３０ｂとの電気的な接続を行うとともに、斜め方向を向いた端縁によって電線の抜け止めを行うものであり、１つの端子板３０ａ，３０ｂについて上述のように２個配設されている。一方は通常接続用、他方は送り接続用である。また、解除釦５ａは端子板３０ａについて１個配設され、解除釦５ｂは端子板３０ｂについて１個配設されて、鎖錠ばね４の上記一端縁を押し戻すことで電線の引き抜きが可能な状態とする。
【００２７】
そして、端子板３０ａに充電用電線を接続する際に用いられるボディ１１裏面の電線挿通孔１８ａ、及び端子板３０ｂに接地用電線を接続する際に用いられるボディ１１裏面の電線挿通孔１８ｂは、ボディ１１の上方に両側方向に対してほぼ一線上に位置しており、電線挿通孔１８ａ，１８ｂに先端被覆を剥いだ電線を差し込むことによって結線作業を行い、電線挿通孔１８ａ，１８ｂに各々隣接する解除孔１９ａ，１９ｂにドライバーの先端を押し込んで解除釦５を押すことによって結線解除の操作を行う。すなわち本実施形態では図９斜線部に示すように、一方の側の電線挿通孔１８ａ周辺のＬ極側端子Ｔ１、他方の側の電線挿通孔１８ａ周辺のＮ極側端子Ｔ２、電線挿通孔１８ｂ周辺の接地端子Ｔ３がボディ１１の上方に両側方向に対してほぼ一線上に位置している。
【００２８】
上述のコンセントＡ１の栓刃差し込み口１４には、図１８に示す１６Ａ，３極のプラグＰが挿入されるもので、プラグＰは２本の充電ピン６０ａと、１本の接地ピン６０ｂを備えており、充電ピン６０ａは充電用の栓刃差し込み口１４に各々挿入され、接地ピン６０ｂは接地用の栓刃差し込み口１４に挿入される。
【００２９】
図１０（ａ），（ｂ）はプラグＰをコンセントＡ１に挿入した状態を示しており、従来例と異なり、３つの栓刃差し込み口１４がカバー１２の下方に偏倚して配置されているので、プラグＰとスイッチＢ１との間隔が広くなって、プラグＰがスイッチＢ１の操作部５０に干渉せず、スイッチＢ１の操作性が向上している。
【００３０】
また図１１は、別のコンセントＡ２（図１２参照）とスイッチＢ２とを連用形の配線器具用の枠Ｄ２の開口に取付けた構成を示し、係合用突起１５を枠Ｄ２に係合させることでコンセントＡ２をプレート枠Ｃ１に取り付けている。枠Ｄ２は配線器具の表面を略全て露出させるような寸法に形成された開口部を有しており、コンセントＡ２、スイッチＢ２は上述のコンセントＡ１、スイッチＢ１に比べて幅広の構成となる。この場合も図１３（ａ），（ｂ）に示すように、３つの栓刃差し込み口１４がカバー１２の下方に偏倚して配置されているので、プラグＰとスイッチＢ２との間隔が広くなって、プラグＰがスイッチＢ２の操作部５０に干渉せず、スイッチＢ２の操作性が向上しており、操作部５０が広く形成されているためその効果も大きいものとなる。
【００３１】
以下、図１〜図１０に示すコンセントＡ１、スイッチＢ１を用いて説明するが、図１１〜図１３に示すコンセントＡ２、スイッチＢ２を用いても同様である。
【００３２】
まず図３６は従来のコンセントＡ３にプラグＰを挿入する際の状態を示し、プラグＰの接地ピン６０ｂは充電ピン６０ａより長いためガイドの役割を果たしており、挿入の際には接地ピン６０ｂからまず栓刃差し込み口１４に挿入される。しかし従来は、接地用の栓刃差し込み口１４がカバー１２の上端に位置しているため、挿入時の多少のずれでコンセントＡ３の上方に取り付けられたスイッチＢ１に誤って接触して誤動作を起こしたり、あるいは図３７に示すようにコンセントＡ３のみを化粧プレートＤ１’に組み合わせた場合、化粧プレートＤ１’の材質はコンセントＡ３よりもその表面硬度が低いために傷が付きやすく、化粧プレートＤ１’の開口上端付近（図中斜線部分）を傷付けたりしていた。
【００３３】
本実施形態では接地用の栓刃差し込み口１４がカバー１２の略中央に位置しているため、図１４に示すようにコンセントＡ３の上方に取り付けられたスイッチＢ１に干渉することなく、挿入時の多少のずれでもスイッチＢ１の誤動作を起こし難くなる。また、プラグＰを挿入する際に接地用の栓刃差し込み口１４を狙いやすくなるため容易に挿入することができる。
【００３４】
また通常、コンセントを壁等の構造体に設けた開口に取り付けて施工する際には、図１５に示すように構造体１００に設けた開口の内側にボックス１０１を配して、このボックス１０１内にコンセントＡ１を収納し、ボックス１０１の上面を貫通させた電線管１０２内を通した電線１０３をボディ１１裏面の電線挿通孔１８ａ，１８ｂに各々接続する立ち下げ配線を行う。このとき、施工される電線１０３はボックス１０１からの出代が長く、コンセントＡ１を施工する場合は電線を折り曲げてボックス１０１内に収納させる必要がある。しかし、従来は電線１０３を接続する電線挿通孔１８ａがボディ１１裏面の上端側に、電線挿通孔１８ｂがボディ１１裏面の下端側に各々位置しているため（図３０参照）、電線１０３を折り曲げる方向が一定とならず、ボックス１０１内での電線１０３の収納性が悪かった。
【００３５】
対して本実施形態では、電線挿通孔１８ａ，１８ｂ，１８ａ（端子Ｔ１，Ｔ２，Ｔ３）が、ボディ１１裏面の上端側で両側方向に対してほぼ一線上に位置し、電線挿通孔１８ａ，１８ｂ，１８ａ（端子Ｔ１，Ｔ２，Ｔ３）が電線１０３の折り曲げ方向に対してほぼ一線上にあることで、折り曲げ方向を同一方向としやすく、ボックス１０１内での電線１０３の収納性が良いものとなっている。
【００３６】
また電線挿通孔１８ａ，１８ｂがボディ１１裏面の中央付近にある場合よりも電線１０３の折り曲げ代を長く取ることができ、図１６（ａ），（ｂ）に示すように電線１０３の出代が短い場合でも結線が可能となる。なお、図１５，図１６（ａ），（ｂ）では、コンセントＡ１のみをプレート枠Ｃ１’、化粧プレートＤ１’と組み合わせている。
【００３７】
ボディ１１裏面にはメーカー、品番、仕様等の表示項目（※※※．．．）を刻印しているが、本実施形態では端子Ｔ１，Ｔ２，Ｔ３をボディ１１裏面の上端側に位置させることで、表示項目（※※※．．．）をボディ１１裏面の下端側に集中してコンパクトに刻印することができ、表示内容の識別、認識を容易に行うことができ、統一感が生じている。
【００３８】
また、端子Ｔ１，Ｔ２には、極性を表す「Ｌ」、「Ｎ」の各文字を刻印によって表示しており、この「Ｌ」、「Ｎ」の各刻印は凸形状に形成することで極性表示を目立たせる効果があり、各極性の端子を容易に認識することができて、誤認識による誤結線を防止することができる。
【００３９】
さらに図１７に示すように、ボディ１１裏面の端子Ｔ１，Ｔ２，Ｔ３の各間に凹部（斜線部）を設けて、端子Ｔ１，Ｔ２，Ｔ３を凸形状とすることで、端子Ｔ１，Ｔ２，Ｔ３を他の端子から独立させることによっても、各極性の端子を容易に認識することができて、誤認識による誤結線を防止することができる。
【００４０】
次に、充電側刃受け・端子一体部品２ａ及び接地側刃受け・端子一体部品２ｂについて説明する。従来、図３８〜図４１に示すように、充電側の刃受ばね２０ａと充電側の端子板３０ａ、及び接地側の刃受ばね２０ｂと接地側の端子板３０ｂを各々別部品で構成したものがあり、端子板３０ａ，３０ｂから各々延設した接続片３１ａ，３１ｂと刃受ばね２０ａ、２０ｂとをカシメ鋲３５でカシメ加工することによって接続していた。
【００４１】
対して本実施形態では図１９〜図２１に示すように、充電側の刃受ばね２０ａと端子板３０ａとを接続片３１を介して一体形成して成る充電側刃受け・端子一体部品２ａと、接地側の刃受ばね２０ｂと端子板３０ｂとを一体形成されて成る接地側刃受け・端子一体部品２ｂとから構成されており、一体形成することで部品点数を削減するとともに、上記従来のカシメ加工を省略することができるためコストを削減することが可能となる。
【００４２】
この刃受け・端子一体部品２ａ，２ｂはロール材料に対して抜き加工を施すことによって製作されるもので、図２２（ｂ）は本実施形態のロール材料７０からの充電側刃受け・端子一体部品２ａの抜き加工を示し、ロール幅Ｙ方向に刃受ばね２０ａと端子板３０ａとが配されるようにして、一定のピッチＸで抜き加工が行われる。そして図４２に示すロール材料７５を用いた従来の抜き加工に対して、図２２（ａ）に示すように刃受ばね２０ａのロール幅Ｙ方向の角部にピッチＸ方向のエッジに平行な面取り７１を施し、さらに刃受ばね２０ａのピッチＸ方向の一方の角部にロール幅Ｙ方向のエッジに平行な面取り７２を施すことによって、ロール材料７５の斜線部分７３，７４を省略した点が異なる。したがって、図２２（ａ），（ｃ）に示す従来の抜き加工と比べると、図２２（ｂ）に示す本実施形態では、ロール材料７０のピッチＸ及びロール幅Ｙを従来のロール材料７５より小さくすることができ、材料ロス及びコストの削減を図ることが可能となる。
【００４３】
次に、図２３は図７の充電側刃受け・端子一体部品２ａの形状を図２４（ａ），（ｂ），（ｃ）、図２５（ａ），（ｂ），（ｃ）に示す形状に変更したもので、充電側刃受け・端子一体部品２ａの刃受ばね２０ａの底面部分にＲ取り加工を施している。刃受ばね２０ａとボディ１１の底面とは接近しているため、図１９〜図２１に示す刃受ばね２０ａの形状では組立時に刃受ばね２０ａの底面部分の角部が引っ掛かりやすいが、Ｒ取り加工を施すことによって、このような引っ掛かりを防ぐことができ、組立性の向上を図ることができる。
【００４４】
また、接地側刃受け・端子一体部品２ｂの形状は従来、図４３に示すように刃受ばね２０ｂと端子板３０ｂと一体成形であっても互いの接合部（図中の２点鎖線の箇所）で構成上分離した状態に独立して配置されていた。しかし図２６に示す本実施形態の接地側刃受け・端子一体部品２ｂは、刃受ばね２０ｂと端子板３０ｂとの接合部（図中の２点鎖線の箇所）を刃受けばね２０ｂ側に組み入れることで、刃受けばね２０ｂの接合部付近では刃受ばね２０ｂと端子板３０ｂとの両方の構成を兼ねており、小型化を図っている。
【００４５】
ここで本実施形態の接地側刃受け・端子一体部品２ｂの形状は、図２７に示すように、解除釦５ｂがプラグＰの接地ピン６０ｂに干渉しないように形成され、さらに刃受けばね２０ｂの特性（挿入力、保持力、接触抵抗、接触面積等の諸特性）に影響する曲げ部２１ｂを従来の特性から変化させることなく形成されている。
【００４６】
このように接地側刃受け・端子一体部品２ｂの小型化を図ることで、刃受ばね２０ｂと端子板３０ｂとの間の距離を短くでき、接地端子Ｔ３をボディ１１の上端に形成した場合に、接地用の栓刃差し込み口１４の位置をカバー１２の略中央に形成することができる。
【００４７】
なお、本実施形態ではコンセントＡ１の上方にスイッチＢ１を並設して取り付けているが、スイッチＢ１の代わりにコンセントや、電話用モデム等の配線器具であってもプラグの干渉を防止できるという効果を得ることができる。
【００４８】
【発明の効果】
請求項１の発明は、連用形配線器具の取付枠に他の配線器具を一端側に並設して取り付けられたハウジングと、このハウジング表面の他端側に偏倚して形成されて、２本の充電ピン及び１本の接地ピンを有する３極のプラグが挿入される３個１組の栓刃差し込み口と、各栓刃差し込み口の奥側に各々位置する刃受ばねと、各刃受ばねが各々接続された端子板とを備えるので、外形が大きいプラグを接続したときに、プレート枠内の他の配線器具へのプラグの干渉を防止できるという効果がある。
【００４９】
請求項２の発明は、連用形配線器具の取付枠に取り付けられたハウジングと、このハウジング表面の一端側に偏倚して形成されて、２本の充電ピン及び１本の接地ピンを有する３極のプラグが挿入される３個１組の栓刃差し込み口と、各栓刃差し込み口の奥側に各々位置する刃受ばねと、各刃受ばねが各々接続された端子板と、前記ハウジング裏面の他端側に配置され、前記各端子板に接続して外部からの電源を各々受ける端子とを備えるので、端子に接続する電線の折り曲げ方向を同一方向として、電線の収納性を向上させることができるという効果がある。
【００５０】
請求項３の発明は、請求項１または２において、前記プレート枠は、配線器具の表面を略全て露出させるような寸法に形成された開口部を有するので、表面の露出部分が大きい配線器具においても請求項１または２と同様の効果を奏する。
【００５１】
請求項４の発明は、請求項１乃至３いずれかにおいて、前記３極のプラグの接地ピンは充電ピンより長く、前記３個１組の栓刃差し込み口のうち、接地ピンが挿入される栓刃差し込み口は前記ハウジング表面の略中央に配置されるので、栓刃差し込み口へのプラグの挿入が容易に行えて、他の配線器具の誤動作やプレート枠への傷を防止することができるという効果がある。
【００５２】
請求項５の発明は、請求項１において、前記各端子板に接続して外部からの電源を受ける各端子を、前記ハウジング裏面の他端側に配置したので、端子に接続する電線の折り曲げ方向を同一方向として、電線の収納性を向上させることができるという効果がある。
【００５３】
請求項６の発明は、請求項２乃至５いずれかにおいて、前記ハウジング裏面の端子と対向する端側に刻印による表示を施したので、表示項目をコンパクトに集中させることで表示に統一感を生じ、表示内容の識別、認識を容易に行うことができるという効果がある。
【００５４】
請求項７の発明は、請求項２乃至６いずれかにおいて、前記ハウジング裏面の各端子間に凹部を設けたので、各端子面を独立させることで各極性の端子を容易に認識でき、誤認識による誤結線を防止することができるという効果がある。
【００５５】
請求項８の発明は、請求項２乃至７いずれかにおいて、充電ピンに接続される２個の端子の近傍に極性を示す刻印を凸形状で各々施したので、極性表示を目立たせることで各極性の端子を容易に認識でき、誤認識による誤結線を防止することができるという効果がある。
【００５６】
請求項９の発明は、請求項１乃至８いずれかにおいて、前記３極のプラグの接地ピンが接続される前記刃受ばねと端子板とは一体形成され、前記刃受ばねと端子板とのうちいずれか一方が他方の構成の一部を兼ねるので、部品点数を削減するとともに刃受ばねと端子板とを接続する手間を省くことができて、コストを削減することができ、さらに刃受ばねと端子板との一体形成品の小型化を図ることができるという効果がある。
【００５７】
請求項１０の発明は、請求項１乃至９いずれかにおいて、前記３極のプラグの充電ピン及び接地ピンが各々接続される前記刃受ばねと端子板とは一体形成され、前記刃受ばねと端子板との各一体形成品の前記ハウジング内での配置方向は、互いに同一方向とするので、組立時に刃受ばねと端子板との一体形成品の配置方向を容易に認識でき、組立性を向上させることができるという効果がある。
【図面の簡単な説明】
【図１】本発明の実施形態のコンセントをプレート枠に取り付けた状態の表面図である。
【図２】同上の下面図である。
【図３】同上の側面図である。
【図４】（ａ）本発明の実施形態のコンセントの表面を示す図である。
（ｂ）同上の側面を示す図である。
（ｃ）同上の下面を示す図である。
（ｄ）同上の裏面を示す図である。
【図５】同上の下面の一部破断図である。
【図６】同上の側面の一部破断図である。
【図７】本発明の実施形態のボディ内の表面図である。
【図８】本発明の実施形態のコンセントの分解斜視図である。
【図９】同上の裏面の端子配置を示す図である。
【図１０】（ａ）本発明の実施形態のコンセントにプラグを挿入した状態を示す表面図である。
（ｂ）同上の側面図である。
【図１１】（ａ）本発明の実施形態の別のコンセントをプレート枠に取り付けた状態の表面図である。
（ｂ）同上の側面図である。
（ｃ）同上の下面図である。
【図１２】（ａ）本発明の実施形態の別のコンセントの表面を示す図である。
（ｂ）同上の側面図である。
（ｃ）同上の下面図である。
【図１３】（ａ）本発明の実施形態の別のコンセントにプラグを挿入した状態を示す表面図である。
（ｂ）同上の側面図である。
【図１４】本発明の実施形態のコンセントにプラグを挿入しようとする状態を示す図である。
【図１５】本発明の実施形態のコンセントの側面から見た施工図である。
【図１６】（ａ）同上の別の施工直前の状態を示す図である。
（ｂ）同上の別の施工図である。
【図１７】同上の裏面の端子周辺の凹部を示す図である。
【図１８】（ａ）本発明の実施形態のプラグの正面図である。
（ｂ）同上の側面図である。
【図１９】（ａ）本発明の実施形態の一方の充電側刃受け・端子一体部品の正面図である。
（ｂ）同上の側面図である。
（ｃ）同上の下面図である。
【図２０】（ａ）本発明の実施形態の他方の充電側刃受け・端子一体部品の正面図である。
（ｂ）同上の側面図である。
（ｃ）同上の下面図である。
【図２１】（ａ）本発明の実施形態の接地側刃受け・端子一体部品の正面図である。
（ｂ）同上の側面図である。
（ｃ）同上の下面図である。
【図２２】（ａ）従来のロール材料の抜き加工を示す図である。
（ｂ）本発明の実施形態のロール材料の抜き加工を示す図である。
（ｃ）従来のロール材料の抜き加工を示す図である。
【図２３】本発明の実施形態のＲ取り加工を行った充電側刃受け・端子一体部品を用いたボディ内の表面図である。
【図２４】（ａ）本発明の実施形態のＲ取り加工を行った一方の充電側刃受け・端子一体部品の正面図である。
（ｂ）同上の側面図である。
（ｃ）同上の下面図である。
【図２５】（ａ）本発明の実施形態のＲ取り加工を行った他方の充電側刃受け・端子一体部品の正面図である。
（ｂ）同上の側面図である。
（ｃ）同上の下面図である。
【図２６】本発明の実施形態の接地側刃受け・端子一体部品の側面図である。
【図２７】（ａ）本発明の実施形態の接地側刃受け・端子一体部品の側面図である。
（ｂ）同上の正面図である。
（ｃ）同上の下面図である。
【図２８】（ａ）従来のコンセントをプレート枠に取り付けた状態の表面図である。
（ｂ）同上の側面図である。
（ｃ）同上の下面図である。
【図２９】（ａ）従来のコンセントの表面図である。
（ｂ）同上の側面図である。
（ｃ）同上の下面図である。
【図３０】同上の裏面図である。
【図３１】同上のボディ内の表面図である。
【図３２】（ａ）従来のコンセントにプラグを挿入した状態を示す表面図である。
（ｂ）同上の側面図である。
【図３３】（ａ）従来のコンセントにプラグを挿入したときの干渉を示す表面図である。（ｂ）同上の側面図である。
【図３４】（ａ）従来の別のコンセントの表面を示す図である。
（ｂ）同上の側面図である。
（ｃ）同上の下面図である。
【図３５】（ａ）従来の別のコンセントにプラグを挿入した状態を示す表面図である。
（ｂ）同上の側面図である。
【図３６】従来のコンセントにプラグを挿入しようとする状態を示す図である。
【図３７】従来のコンセント単体を枠に取り付けた状態を示す表面図である。
【図３８】（ａ）従来の一方の充電側刃受けばね・端子板の接続を示す正面図である。
（ｂ）同上の側面図である。
【図３９】（ａ）従来の他方の充電側刃受けばね・端子板の接続を示す正面図である。
（ｂ）同上の側面図である。
【図４０】（ａ）従来の接地側刃受けばね・端子板の接続を示す正面図である。
（ｂ）同上の側面図である。
【図４１】従来の一方の充電側刃受けばね・端子板の分解図である。
【図４２】従来のロール材料の抜き加工を示す図である。
【図４３】従来の接地側刃受け・端子一体部品の側面図である。
【符号の説明】
Ａ１  コンセント
Ｂ１  スイッチ
Ｃ１  プレート枠
Ｄ１  化粧プレート
１    ハウジング
２ａ，２ｂ  刃受け・端子一体部品
４    鎖錠ばね
５ａ，５ｂ  解除釦
１４  栓刃差し込み口
５０  操作部
【図１】
2004220815.tif 000003
【図２】
2004220815.tif 000004
【図３】
2004220815.tif 000005
【図４】
2004220815.tif 000006
【図５】
2004220815.tif 000007
【図６】
2004220815.tif 000008
【図７】
2004220815.tif 000009
【図８】
2004220815.tif 000010
【図９】
2004220815.tif 000011
【図１０】
2004220815.tif 000012
【図１１】
2004220815.tif 000013
【図１２】
2004220815.tif 000014
【図１３】
2004220815.tif 000015
【図１４】
2004220815.tif 000016
【図１５】
2004220815.tif 000017
【図１６】
2004220815.tif 000018
【図１７】
2004220815.tif 000019
【図１８】
2004220815.tif 000020
【図１９】
2004220815.tif 000021
【図２０】
2004220815.tif 000022
【図２１】
2004220815.tif 000023
【図２２】
2004220815.tif 000024
【図２３】
2004220815.tif 000025
【図２４】
2004220815.tif 000026
【図２５】
2004220815.tif 000027
【図２６】
2004220815.tif 000028
【図２７】
2004220815.tif 000029
【図２８】
2004220815.tif 000030
【図２９】
2004220815.tif 000031
【図３０】
2004220815.tif 000032
【図３１】
2004220815.tif 000033
【図３２】
2004220815.tif 000034
【図３３】
2004220815.tif 000035
【図３４】
2004220815.tif 000036
【図３５】
2004220815.tif 000037
【図３６】
2004220815.tif 000038
【図３７】
2004220815.tif 000039
【図３８】
2004220815.tif 000040
【図３９】
2004220815.tif 000041
【図４０】
2004220815.tif 000042
【図４１】
2004220815.tif 000043
【図４２】
2004220815.tif 000044
【図４３】
2004220815.tif 000045